(57)【要約】【課題】コネクタを構造的に簡素化でき、小型化できると共に、コネクタの周囲に配線スペースを確保する必要のないコネクタ用端子を提供する。【解決手段】このコネクタ用端子10は、雌型嵌合端子部12と、この嵌合端子部の後端側に当該嵌合端子部の後方に向けてスリット22が開口するように設けられた圧接端子部18と、この圧接端子部の両側で当該圧接端子部に圧接接続された電線を抱持するように設けられたインシュレーションバレル部20と、前記圧接端子部18とインシュレーションバレル部20の間に設けられた、電線をＵ字状に屈曲するのに必要な折り曲げ代24とを、一体に有する。圧接端子部18に圧接接続した電線を嵌合端子部12の後方に向けてＵ字状に折り返した状態に保持することができる。このため電線の中間位置に取り付けられたコネクタ用端子10を、コネクタハウジングのキャビティに挿入して、コネクタを組み立てることができる。【選択図】図１
2007200587.tif 000002
【特許請求の範囲】
【請求項１】
雌型又は雄型の嵌合端子部の後端側に、電線を圧接接続する圧接端子部と、圧接接続された電線を嵌合端子部の後方に向けてＵ字状に折り返した状態に保持するインシュレーションバレル部とを一体に設けたことを特徴とするコネクタ用端子。
【請求項２】
雌型又は雄型の嵌合端子部と、
この嵌合端子部の後端側に当該嵌合端子部の後方に向けてスリットが開口するように設けられた圧接端子部と、
この圧接端子部の両側で当該圧接端子部に圧接接続された電線を抱持するように設けられたインシュレーションバレル部と、
前記圧接端子部とインシュレーションバレル部の間に設けられた、前記圧接端子部に圧接接続され、かつインシュレーションバレル部に抱持された電線をＵ字状に屈曲するのに必要な折り曲げ代とを、
一体に有していることを特徴とするコネクタ用端子。
【請求項３】
雌型又は雄型の嵌合端子部と、
この嵌合端子部の後端側に当該嵌合端子部の長手方向と直交する向きにスリットが開口するように設けられた圧接端子部と、
この圧接端子部と前記嵌合端子部の後端と間で、前記圧接端子部に圧接接続された電線を抱持するように設けられた第一のインシュレーションバレル部と、
この第一のインシュレーションバレル部に抱持され、かつ第一のインシュレーションバレル部上に折り返された電線を抱持するように設けられた第二のインシュレーションバレル部とを、
一体に有していることを特徴とするコネクタ用端子。
【請求項４】
請求項２記載のコネクタ用端子の圧接端子部に電線の中間位置を圧接接続し、その圧接接続部の両側の電線をインシュレーションバレル部で抱持し、その状態で折り曲げ代を屈曲して電線をＵ字状に屈曲したことを特徴とする請求項２記載のコネクタ用端子の電線へ取付け構造。
【請求項５】
請求項３記載のコネクタ用端子の圧接端子部に電線の中間位置を圧接接続し、その電線の嵌合端子部側の部分を第一のインシュレーションバレル部で抱持し、さらに第一のインシュレーションバレル部に抱持された電線を第一のインシュレーションバレル部上を通るようにＵ字状に折り返し、折り返された電線を第二のインシュレーションバレル部で抱持したことを特徴とする請求項３記載のコネクタ用端子の電線への取付け構造。
【発明の詳細な説明】
【技術分野】
【０００１】
本発明は、電線の長さ方向中間位置に取り付けられて、コネクタハウジングに組み込まれる端子と、その端子の電線への取付け構造に関するものである。
【背景技術】
【０００２】
電線の長さ方向中間位置に、電線を切断することなくコネクタを取り付ける場合には、通常、電線が接続される圧接端子と相手方コネクタに接続される雌端子（又は雄端子）とを電気的に接続した状態でコネクタハウジングに組み込んだコネクタが用いられる。このコネクタの圧接端子に電線を圧接接続すれば、コネクタを電線の中間位置に取り付けることができる。（特許文献１参照）。
【０００３】
【特許文献１】特開２００４−１７２０７２号公報
【発明の開示】
【発明が解決しようとする課題】
【０００４】
しかし上記のようなコネクタでは、コネクタの構造が複雑化し、コネクタの組立が面倒になるだけでなく、コネクタが大型化するという問題がある。また、コネクタの両側に電線が引き出されるため、コネクタを相手方コネクタに接続する際に、コネクタの両側に配線スペースを確保しなければならないという難点がある。
【０００５】
本発明の目的は、コネクタを構造的に簡素化でき、小型化できると共に、コネクタの周囲に配線スペースを確保する必要のないコネクタ用端子と、その端子の電線への取付け構造を提供することにある。
【課題を解決するための手段】
【０００６】
本発明に係るコネクタ用端子は、雌型又は雄型の嵌合端子部の後端側に、電線を圧接接続する圧接端子部と、圧接接続された電線を嵌合端子部の後方に向けてＵ字状に折り返した状態に保持するインシュレーションバレル部とを一体に設けたことを特徴とするものである（請求項１）。
【０００７】
本発明に係るコネクタ用端子は、雌型又は雄型の嵌合端子部と、
この嵌合端子部の後端側に当該嵌合端子部の後方に向けてスリットが開口するように設けられた圧接端子部と、
この圧接端子部の両側で当該圧接端子部に圧接接続された電線を抱持するように設けられたインシュレーションバレル部と、
前記圧接端子部とインシュレーションバレル部の間に設けられた、前記圧接端子部に圧接接続され、かつインシュレーションバレル部に抱持された電線をＵ字状に屈曲するのに必要な折り曲げ代とを、一体に有する構成とすることができる（請求項２）。
【０００８】
また本発明に係るコネクタ用端子は、雌型又は雄型の嵌合端子部と、
この嵌合端子部の後端側に当該嵌合端子部の長手方向と直交する向きにスリットが開口するように設けられた圧接端子部と、
この圧接端子部と前記嵌合端子部の後端と間で、前記圧接端子部に圧接接続された電線を抱持するように設けられた第一のインシュレーションバレル部と、
この第一のインシュレーションバレル部に抱持され、かつ第一のインシュレーションバレル部上に折り返された電線を抱持するように設けられた第二のインシュレーションバレル部とを、一体に有する構成とすることもできる（請求項３）。
【０００９】
また請求項２の発明に係るコネクタ用端子の電線への取付け構造は、コネクタ用端子の圧接端子部に電線の中間位置を圧接接続し、その圧接接続部の両側の電線をインシュレーションバレル部で抱持し、その状態で折り曲げ代を屈曲して電線をＵ字状に屈曲したことを特徴とするものである（請求項４）。
【００１０】
また請求項３の発明に係るコネクタ用端子の電線への取付け構造は、コネクタ用端子の圧接端子部に電線の中間位置を圧接接続し、その電線の嵌合端子部側の部分を第一のインシュレーションバレル部で抱持し、さらに第一のインシュレーションバレル部に抱持された電線を第一のインシュレーションバレル部上を通るようにＵ字状に折り返し、折り返された電線を第二のインシュレーションバレル部で抱持したことを特徴とするものである（請求項５）。
【発明の効果】
【００１１】
本発明に係るコネクタ用端子は、嵌合端子部の後端側に設けられた圧接端子部に電線を圧接接続し、その電線を嵌合端子部の後方に向けてＵ字状に折り返した状態に保持することができる。このため、電線の中間位置に取り付けられた端子を、電線の端部に取り付けられた端子と同様に、コネクタハウジングのキャビティに挿入して、コネクタを組み立てることができる。したがって、コネクタの組立が簡単になると共に、コネクタの構造が簡素化され、コネクタを小型化できる。また、コネクタの後方へ電線が引き出されるようになるため、コネクタを相手機器に接続する際にコネクタの周囲に配線スペースを確保する必要がなく、コネクタを狭いスペースに配置することができる。また、１本の電線に複数の端子を圧接することにより、電線を切断することなくジョイントを吸収できる。
【発明を実施するための最良の形態】
【００１２】
〔実施形態１〕図１は本発明に係るコネクタ用端子の一実施形態を示す。このコネクタ用端子１０は、雌型嵌合端子部１２の後端側（雌型嵌合端子部は雄型嵌合端子の挿入口がある方が先端側）に、縦方向つなぎ部１４及び横方向つなぎ部１６を介して、圧接端子部１８及びインシュレーションバレル部２０を一体に設けたものである。縦方向つなぎ部１４は雌型嵌合端子部１２の後端から後方に伸び、横方向つなぎ部１６は縦方向つなぎ部１４の先端で直角に折り曲げられて圧接端子部１８の両側に伸びている。
【００１３】
圧接端子部１８は、横方向つなぎ部１６の中央部に、電線が押し込まれるスリット２２が雌型嵌合端子部１２の後方に向けて開口するように形成されている。またインシュレーションバレル部２０は、横方向つなぎ部１６の両端部に（圧接端子部１８の両側に）、雌型嵌合端子部１２の後方に向けて伸び出すように形成されている。インシュレーションバレル部２０は圧接端子部１８に圧接接続された電線（絶縁電線）の両側を抱持する部分である。
【００１４】
横方向つなぎ部１６の、圧接端子部１８とインシュレーションバレル部２０の間の部分は、圧接端子部１８に圧接接続され、かつインシュレーションバレル部２０に抱持された電線をＵ字状に屈曲するのに必要な折り曲げ代２４となっている。
【００１５】
このようなコネクタ用端子１０は、１枚の金属板を図２のように打ち抜いて、破線部を折り曲げることにより製造することができる。図２において、図１の各部に対応する部分には図１と同一符号を付してある。２６は雌型嵌合端子部１２の内部に折り返されて弾性舌片となる部分である。
【００１６】
以上のように構成されたコネクタ用端子１０は、図３（Ａ）〜（Ｃ）のようにして電線２８の長さ方向中間位置に取り付けられる。まず（Ａ）に示すように、圧接端子部１８のスリット２２に電線２８を押し込んで、圧接端子部１８に電線２８を圧接接続する。次に（Ｂ）に示すように、インシュレーションバレル部２０を電線２８上に屈曲成形して、インシュレーションバレル部２０で圧接端子部１８の両側の電線２８を抱持する。次に（Ｃ）に示すように、折り曲げ代２４を屈曲して、電線２８を雌型嵌合端子部１２の後方に向けてＵ字状に屈曲する。このようにすると、電線２８の中間位置に取り付けられた端子１０を、電線の端部に取り付けられた端子と同様に、コネクタハウジングのキャビティに挿入するだけで、簡単にコネクタを組み立てることができる。
【００１７】
〔実施形態２〕図４は本発明に係るコネクタ用端子の他の実施形態を示す。このコネクタ用端子１０は、雌型嵌合端子部１２の後端側に縦方向つなぎ部１４を介して圧接端子部１８を一体に設け、縦方向つなぎ部１４の片側に第一のインシュレーションバレル部２０Ａを、反対側に第二のインシュレーションバレル部２０Ｂを一体に設けたものである。
【００１８】
圧接端子部１８は、スリット２２が嵌合端子部１２の長手方向と直交する向きに開口するように形成されている。第一のインシュレーションバレル部２０Ａは、圧接端子部１８と嵌合端子部１２の後端と間で、圧接端子部１８に圧接接続された電線を抱持するように設けられている。第二のインシュレーションバレル部２０Ｂは、第一のインシュレーションバレル部２０Ａに抱持され、かつ第一のインシュレーションバレル部２０Ａ上に折り返された電線を抱持するように設けられている。
【００１９】
このコネクタ用端子１０も、１枚の金属板の打ち抜き、折り曲げ加工により製造することができる。
【００２０】
以上のように構成されたコネクタ用端子１０は、図５（Ａ）〜（Ｄ）のようにして電線２８の長さ方向中間位置に取り付けられる。まず（Ａ）に示すように、圧接端子部１８のスリットに電線２８を押し込んで、圧接端子部１８に電線２６を圧接接続する。次に（Ｂ）に示すように、第一のインシュレーションバレル部２０Ａを屈曲して、圧接端子部１８に圧接接続された電線２８の嵌合端子部１２側の部分を抱持する。次に（Ｃ）に示すように、第一のインシュレーションバレル部２０Ａに抱持された電線２８を第一のインシュレーションバレル部２０Ａ上を通るようにＵ字状に折り返す。最後に（Ｄ）に示すように、折り返された電線２８を第二のインシュレーションバレル部２０Ｂで抱持する。
【００２１】
このような構成でも、実施形態１と同様、電線２８の中間位置に取り付けられた端子１０を、コネクタハウジングのキャビティに挿入するだけで、簡単にコネクタを組み立てることができる。
【００２２】
〔その他の実施形態〕以上の実施形態では、雌型嵌合端子部の後端側に圧接端子部及びインシュレーションバレル部を設ける場合を説明したが、雄型嵌合端子部の後端側に圧接端子部及びインシュレーションバレル部を設ける場合も、同様な構成にすればよい。雄型嵌合端子部の場合は、雌型嵌合端子に挿入される側が先端側である。
【図面の簡単な説明】
【００２３】
【図１】本発明に係るコネクタ用端子の一実施形態を示す斜視図。
【図２】図１のコネクタ用端子の展開図。
【図３】（Ａ）〜（Ｃ）は図１のコネクタ用端子を電線に取り付ける過程を示す平面図。
【図４】本発明に係るコネクタ用端子の他の実施形態を示す斜視図。
【図５】（Ａ）〜（Ｄ）は図４のコネクタ用端子を電線に取り付ける過程を示す側面図。
【符号の説明】
【００２４】
１０：コネクタ用端子
１２：雌型嵌合端子部
１４：縦方向つなぎ部
１６：横方向つなぎ部
１８：圧接端子部
２０：インシュレーションバレル部
２０Ａ：第一のインシュレーションバレル部
２０Ｂ：第二のインシュレーションバレル部
２２：スリット
２４：折り曲げ代
２８：電線
【図１】
2007200587.tif 000003
【図２】
2007200587.tif 000004
【図３】
2007200587.tif 000005
【図４】
2007200587.tif 000006
【図５】
2007200587.tif 000007